(57)【特許請求の範囲】
【請求項１】
鋼管杭を油圧ハンマにより打設する際に、鋼管杭の端部から鋼管杭内に挿通自在な直径を有し、内部に通気性を有する吸音手段が装填され、かつ、該吸音手段に対する音の伝播を阻害しない外表面を有する円柱状のブロックを、鋼管杭内の開口端部又はその近傍、及び、中間部の少なくとも一方の位置に配置し、
前記吸音手段を、前記円柱状のブロックの中軸方向と平行に、筒状の吸音材を複数並列配置して構成することを特徴とする鋼管杭の打設騒音低減工法。
【請求項２】
前記筒状の吸音材を含む円柱状のブロックを、鋼管杭内の開口端部又はその近傍に配置することを特徴とする請求項１記載の鋼管杭の打設騒音低減工法。
【請求項３】
前記吸音手段を、前記筒状の吸音材の中軸方向両端部に円盤状の吸音材を積層して構成することを特徴とする請求項１又は２記載の鋼管杭の打設騒音低減工法。
【請求項４】
前記円盤状の吸音材を含む円柱状のブロックを、鋼管杭内の中間部に配置することを特徴とする請求項３記載の鋼管杭の打設騒音低減工法。
【請求項５】
前記円柱状のブロックの外表面を、有底円筒状の金網籠とその開口部を塞ぐ円形の金網蓋とで構成することを特徴とする請求項１から４のいずれか１項記載の鋼管杭の打設騒音低減工法。
【請求項６】
前記金網籠又は前記金網蓋の少なくとも一方に吊ワイヤを連結して、前記円柱状のブロックを前記鋼管杭内の所定の場所に吊下げることを特徴とする請求項５記載の鋼管杭の打設騒音低減工法。
【請求項７】
前記鋼管杭内の開口端部又はその近傍、及び、中間部に配置されるブロック同士を、吊ワイヤにて連結することを特徴とする請求項１から６のいずれか１項記載の鋼管杭の打設騒音低減工法。
【請求項８】
鋼管杭の端部から鋼管杭内に挿通自在な直径を有し、内部に通気性を有する吸音手段が装填され、かつ、該吸音手段に対する音の伝播を阻害しない外表面を有する円柱状のブロックであって、鋼管杭内の開口端部又はその近傍、及び、中間部の少なくとも一方の位置に配置され、
前記吸音手段は、前記円柱状のブロックの中軸方向と平行に複数並列配置された筒状の吸音材を含むことを特徴とする鋼管杭の打設騒音低減ブロック。
【請求項９】
前記筒状の吸音材を含む円柱状のブロックが、鋼管杭内の開口端部又はその近傍に配置されるものであることを特徴とする請求項８記載の鋼管杭の打設騒音低減ブロック。
【請求項１０】
前記吸音手段は、前記筒状の吸音材の中軸方向両端部に積層された円盤状の吸音材を含むことを特徴とする請求項８又は９記載の鋼管杭の打設騒音低減ブロック。
【請求項１１】
前記円盤状の吸音材を含む円柱状のブロックが、鋼管杭内の中間部に配置されるものであることを特徴とする請求項１０記載の鋼管杭の打設騒音低減ブロック。
【請求項１２】
前記円柱状のブロックの外表面は、有底円筒状の金網籠とその開口部を塞ぐ円形の金網蓋とからなることを特徴とする請求項８から１１のいずれか１項記載の鋼管杭の打設騒音低減ブロック。
【請求項１３】
前記金網籠又は前記金網蓋の少なくとも一方に連結された吊ワイヤを含むことを特徴とする請求項１２記載の鋼管杭の打設騒音低減ブロック。
【請求項１４】
前記鋼管杭内の開口端部又はその近傍、及び、中間部に配置されるブロック同士が、吊ワイヤによって連結されていることを特徴とする請求項８から１３のいずれか１項記載の鋼管杭の打設騒音低減ブロック。
【発明の詳細な説明】
【技術分野】
【０００１】
本発明は、鋼管杭の打設騒音低減工法及び打設騒音低減ブロックに関するものである。
【背景技術】
【０００２】
従来から、油圧ハンマを用いた鋼管杭の打設工が広く実施されており、この際に生じる打設騒音の低減対策も種々に試みられている。例えば、鋼管杭に止水シートや防振マットを巻き付けて打設を行い、又は、鋼管杭の内部に吸音材を巻き付けたフロートや、ジャイアントバルーン等の詰物を装填して打設を行う手法等が試されている。（例えば、非特許文献１）。
【先行技術文献】
【非特許文献】
【０００３】
【非特許文献１】秤谷  哲治、他１名、”鋼管杭打撃工法における騒音低減対策（佐伯港−１４ｍ岸壁築造工事）”［online］平成１６年７月２６日、九州国土交通研究会、［平成２３年３月１５日検索］、インターネット〈URL: http://www.qsr.mlit.go.jp/n-event/kenkyu/pdf/ii-9.pdf〉
【発明の概要】
【発明が解決しようとする課題】
【０００４】
しかしながら、鋼管杭を打設する工区によっては、従来の鋼管杭の打設騒音低減工法による騒音低減効果が十分とはいえないような場合があり、更に効果的な騒音低減手法が望まれている。
本発明は上記課題に鑑みてなされたものであり、その目的とするところは、鋼管杭の打設騒音をより効果的に低減させることにある。
【課題を解決するための手段】
【０００５】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）鋼管杭を油圧ハンマにより打設する際に、鋼管杭の端部から鋼管杭内に挿通自在な直径を有し、内部に通気性を有する吸音手段が装填され、かつ、該吸音手段に対する音の伝播を阻害しない外表面を有する円柱状のブロックを、鋼管杭内の開口端部又はその近傍、及び、中間部の少なくとも一方の位置に配置し、前記吸音手段を、前記円柱状のブロックの中軸方向と平行に、筒状の吸音材を複数並列配置して構成する鋼管杭の打設騒音低減工法（請求項１）。
本項に記載の鋼管杭の打設騒音低減工法は、内部に通気性を有する吸音手段が装填され、かつ、吸音手段に対する音の伝播を阻害しない外表面を有する円柱状のブロックを、鋼管杭内の開口端部又はその近傍に配置して、この鋼管杭を油圧ハンマにより打設するものである。この油圧ハンマによる打設の際の衝撃の結果、鋼管杭内の空気を伝播する振動が円柱状のブロックを通過し、この際、鋼管杭の開口端部における振動の振幅を効率的に減衰させ、騒音低減を促すものである。又、円柱状のブロックを、鋼管杭内の中間部に配置し、鋼管杭を油圧ハンマにより打設すると、鋼管杭内の空気を伝播する振動が円柱状のブロックを通過し、この際、鋼管杭の中間部における振動媒質の粒子速度を効率的に減衰させ、騒音低減を促すものである。
-更に、本項に記載の鋼管杭の打設騒音低減工法は、円柱状ブロックを鋼管杭内に挿通することで、円柱状のブロックの中軸方向（円柱中心部を長手方向に通る仮想の基準軸の延びる方向）と平行に、複数並列配置した筒状の吸音材の各中心軸が、鋼管杭の軸方向と並行になる。そして、鋼管杭内の空気を伝播する振動が筒状の吸音材を通過する際、筒状の吸音材の内筒部における空気の円滑な流動を許容しつつ、吸音材内部で振動の振幅又は振動媒質の粒子速度を減衰させるものである。
【０００７】
（２）上記（１）項において、前記筒状の吸音材を含む円柱状のブロックを、鋼管杭内の開口端部又はその近傍に配置する鋼管杭の打設騒音低減工法（請求項２）。
本項に記載の鋼管杭の打設騒音低減工法は、鋼管杭内の空気を伝播する振動が、鋼管杭内の開口端部又はその近傍に配置した筒状の吸音材を含む円柱状のブロックの、筒状の吸音材の内筒部を通過する際、鋼管杭内の空気を伝播する振動の振幅を効果的に減衰させるものである。
【０００８】
（３）上記（１）又は（２）項において、前記吸音手段を、前記筒状の吸音材の中軸方向両端部に円盤状の吸音材を積層して構成する鋼管杭の打設騒音低減工法（請求項３）。
本項に記載の鋼管杭の打設騒音低減工法は、円盤状の吸音材を筒状の吸音材の中軸方向両端部に配置することで、円盤状の吸音材が、筒状の吸音材の両端部を挟み込むような設置態様となる。そして、鋼管杭内の空気を伝播する振動が、筒状の吸音材及び円盤状の吸音材を通過する際、空気の流動を制限して、振動の振幅又は振動媒質の粒子速度を減衰させるものである。
【０００９】
（４）上記（３）項において、前記円盤状の吸音材を含む円柱状のブロックを、鋼管杭内の中間部に配置する鋼管杭の打設騒音低減工法（請求項４）。
【００１０】
本項に記載の鋼管杭の打設騒音低減工法は、鋼管杭内の空気を伝播する振動が、鋼管杭内の中間部に配置した、円盤状の吸音材を含む円柱状のブロックの、円盤状の吸音材を通過する際、鋼管杭内の振動媒質の粒子速度を効果的に減衰させるものである。
【００１１】
（５）上記（１）から（４）項において、前記円柱状のブロックの外表面を、有底円筒状の金網籠とその開口部を塞ぐ円形の金網蓋とで構成する鋼管杭の打設騒音低減工法（請求項５）。
本項に記載の鋼管杭の打設騒音低減工法は、円柱状のブロックの外表面を、有底円筒状の金網籠とその開口部を塞ぐ円形の金網蓋とで構成することで、鋼管杭内の空気を伝播する振動が金網の網目を介して円柱状のブロックを通過し、この際、鋼管杭内の空気を伝播する振動の振幅又は振動媒質の粒子速度を減衰させるものである。又、様々な材質や形態の吸音材を適宜選択して有底円筒状の金網籠に装填し、金網蓋で塞ぐことで、騒音低減機能及び製作コストのいずれにおいても最適な、円柱状のブロックを構成することができる。
【００１２】
（６）上記（５）項において、前記金網籠又は前記金網蓋の少なくとも一方に吊ワイヤを連結して、前記円柱状のブロックを前記鋼管杭内の所定の場所に吊下げる鋼管杭の打設騒音低減工法（請求項６）。
本項に記載の鋼管杭の打設騒音低減工法は、金網籠又は金網蓋の少なくとも一方に吊ワイヤを連結して、円柱状のブロックを鋼管杭内の上記所定の場所に吊下げることで、鋼管杭内の空気を伝播する振動の振幅又は振動媒質の粒子速度を減衰させるものである。
【００１３】
（７）上記（１）から（６）項において、前記鋼管杭内の開口端部又はその近傍、及び、中間部に配置されるブロック同士を、吊ワイヤにて連結する鋼管杭の打設騒音低減工法
（請求項７）。
本項に記載の鋼管杭の打設騒音低減工法は、鋼管杭内の開口端部又はその近傍、及び、中間部に配置されるブロック同士を、吊ワイヤにて連結することで、これらのブロックを鋼管杭内の開口端部又はその近傍、及び、中間部に配置する作業、並びに、これらのブロックを鋼管杭内から取り出す作業を、一時に行うものである。
【００１４】
（８）鋼管杭の端部から鋼管杭内に挿通自在な直径を有し、内部に通気性を有する吸音手段が装填され、かつ、該吸音手段に対する音の伝播を阻害しない外表面を有する円柱状のブロックであって、鋼管杭内の開口端部又はその近傍、及び、中間部の少なくとも一方の位置に配置され、前記吸音手段は、前記円柱状のブロックの中軸方向と平行に複数並列配置された筒状の吸音材を含む鋼管杭の打設騒音低減ブロック（請求項８）。
本項に記載の鋼管杭の打設騒音低減ブロックは、内部に通気性を有する吸音手段が装填され、かつ、吸音手段に対する音の伝播を阻害しない外表面を有する円柱状のブロックであり、鋼管杭内の開口端部又はその近傍に配置して用いるものである。この円柱状のブロックを配置した鋼管杭を油圧ハンマにより打設する際の衝撃の結果、鋼管杭内の空気を伝播する振動が円柱状のブロックを通過し、この際に、鋼管杭の開口端部における振動の振幅を効率的に減衰させ、騒音低減が促進される。又、円柱状のブロックを鋼管杭内の中間部に配置した鋼管杭を、油圧ハンマにより打設すると、鋼管杭内の空気を伝播する振動が円柱状のブロックを通過し、この際、鋼管杭の中間部における振動媒質の粒子速度を効率的に減衰させ、騒音低減が促進される。
更に、本項に記載の鋼管杭の打設騒音低減ブロックは、鋼管杭内に配置されると、円柱状のブロックの中軸方向に向けて、複数並列配置した筒状の吸音材の各中心軸が、鋼管杭の軸方向と並行になる。そして、鋼管杭内の空気を伝播する振動が、円柱状のブロックの中軸方向に向けて、複数並列配置した筒状の吸音材を通過する際、筒状の吸音材の内筒部における空気の円滑な流動が許容されつつ、振動の振幅又は振動媒質の粒子速度が減衰されるものである。
【００１５】
（９）上記（８）項において、前記筒状の吸音材を含む円柱状のブロックが、鋼管杭内の開口端部又はその近傍に配置されるものである鋼管杭の打設騒音低減ブロック（請求項９）。
本項に記載の鋼管杭の打設騒音低減ブロックは、筒状の吸音材を含む円柱状のブロックが、鋼管杭内の開口端部又はその近傍に配置されることで、鋼管杭内の空気を伝播する振動が、筒状の吸音材の内筒部を通過する際、鋼管杭内の空気を伝播する振動の振幅が効果的に減衰されることとなる。
【００１６】
（１０）上記（８）又は（９）項において、前記吸音手段は、前記筒状の吸音材の中軸方向両端部に積層された円盤状の吸音材を含む鋼管杭の打設騒音低減ブロック（請求項１０）。
本項に記載の鋼管杭の打設騒音低減ブロックは、鋼管杭内に配置されると、筒状の吸音材の中軸方向両端部に配置した円盤状の吸音材が、筒状の吸音材の両端部を挟み込むような設置態様となる。そして、鋼管杭内の空気を伝播する振動が、筒状の吸音材及び円盤状の吸音材を通過する際、空気の流動が制限され、振動の振幅又は振動媒質の粒子速度が減衰されるものである。
【００１７】
（１１）上記（１０）項において、前記円盤状の吸音材を含む円柱状のブロックが、鋼管杭内の中間部に配置されるものである鋼管杭の打設騒音低減ブロック（請求項１１）。
【００１８】
本項に記載の鋼管杭の打設騒音低減ブロックは、円盤状の吸音材を含む円柱状のブロックが、鋼管杭内の中間部に配置されることで、鋼管杭内の空気を伝播する振動が、円盤状の吸音材を通過する際、鋼管杭内の振動媒質の粒子速度が効果的に減衰されることとなる。
【００１９】
（１２）上記（８）から（１１）項において、前記円柱状のブロックの外表面は、有底円筒状の金網籠とその開口部を塞ぐ円形の金網蓋とからなる鋼管杭の打設騒音低減ブロック（請求項１２）。
本項に記載の鋼管杭の打設騒音低減ブロックは、鋼管杭内に配置されると、鋼管杭内の空気を伝播する振動は、有底円筒状の金網籠とその開口部を塞ぐ円形の金網蓋の網目を介して円柱状のブロックを通過し、この際、鋼管杭内の空気を伝播する振動の振幅又は振動媒質の粒子速度が減衰するものである。又、様々な材質や形態の吸音材を適宜選択して有底円筒状の金網籠に装填し金網蓋で塞ぐことで、騒音低減機能及び製作コストのいずれにおいても最適な、円柱状のブロックが構成される。
【００２０】
（１３）上記（１２）項において、前記金網籠又は前記金網蓋の少なくとも一方に連結された吊ワイヤを含む鋼管杭の打設騒音低減ブロック（請求項１３）。
本項に記載の鋼管杭の打設騒音低減ブロックは、金網籠又は金網蓋の少なくとも一方に吊ワイヤを連結して、円柱状のブロックを鋼管杭内の上記所定の場所に吊下げることで、鋼管杭内に設置されるものである。そして、鋼管杭内の空気を伝播する振動の振幅又は振動媒質の粒子速度が、上記所定の場所にて減衰されるものとなる。
【００２１】
（１４）上記（８）から（１３）項において、前記鋼管杭内の開口端部又はその近傍、及び、中間部に配置されるブロック同士が、吊ワイヤによって連結されている鋼管杭の打設騒音低減ブロック（請求項１４）。
本項に記載の鋼管杭の打設騒音低減ブロックは、鋼管杭内の開口端部又はその近傍、及び、中間部に配置されるブロック同士が、吊ワイヤによって連結されていることから、各ブロックを鋼管杭内の開口端部又はその近傍、及び、中間部に配置する作業、並びに、これらのブロックを鋼管杭内から取り出す作業を、一時に行うことが可能となる。
【発明の効果】
【００２２】
本発明はこのように構成したので、鋼管杭の打設騒音をより効果的に低減させることが可能となる。
【図面の簡単な説明】
【００２３】
【図１】本発明の実施の形態に係る、鋼管杭の打設騒音低減工法に用いられる、油圧ハンマ、鋼管杭及び打設騒音低減ブロックを示す模式図である。
【図２】図１に示される、吸音手段として筒状の吸音材を含む円柱状のブロックの単体図であり、（ａ）は側面図、（ｂ）は内部の吸音材の側面図である。
【図３】図１に示される、吸音手段として円盤状の吸音材を含む円柱状のブロックの単体図であり、（ａ）は側面図、（ｂ）は内部の吸音材の側面図である。
【図４】図１に示される、吸音手段としてロール状の吸音材を含む円柱状のブロックの単体図であり、（ａ）は側面図、（ｂ）は内部の吸音材の側面図である。
【図５】図１に示される鋼管杭及び打設騒音低減ブロックを抽出した断面図であり、（ａ）は全体断面図、（ｂ）は（ａ）のＡ部拡大図である。
【発明を実施するための形態】
【００２４】
以下、本発明を実施するための最良の形態を添付図面に基づいて説明する。
本発明の実施の形態は、図１に示されるように、鋼管杭１０を油圧ハンマ１２により打設する際に、円柱状のブロック１４、１６を、鋼管杭１０内の開口端部（上端部）又はその近傍と、中間部とに配置するものである。円柱状のブロック１４、１６は、鋼管杭１０の端部１０ａ（図５（ｂ））から鋼管杭１０内に挿通自在な直径を有している。例えば、鋼管杭の内径が１０００ｍｍである場合には、円柱状のブロック１４、１６の直径φは、鋼管杭１０に対する挿通性のみならず、吸音効果も考慮して８００ｍｍ〜９００ｍｍとされる。なお、円柱状のブロック１４、１６の長さは、取り扱い性及び吸音効果を考慮して適宜決定され、上述の数値例との対応では、全長Ｌは１０００ｍｍ〜１０５０ｍｍとなっている。又、円柱状のブロック１４、１６の内部には、通気性を有する吸音手段１８、２０が装填されている。
【００２５】
更に、吸音手段１８、２０に対する音の伝播を阻害しない外表面が、有底円筒状の金網籠２２とその開口部を塞ぐ円形の金網蓋２４とで構成されている。金網籠２２及び金網蓋２４を固定する手法は、溶接や適切な固定具等により行われる。金網籠２２及び金網蓋２４を構成する金網の材質は、鉄、ステンレス、アルミ等の金属のみならず、適宜、樹脂材料によるものも選択可能である。又、金網籠２２及び金網蓋２４を構成する金網の直径や網目のピッチについては、吸音手段１８、２０を安定保持し、かつ、耐久性も考慮した上で決定される。
【００２６】
ところで、鋼管杭１０内の開口端部又はその近傍に配置される、円柱状のブロック１４において、有底円筒状の金網籠２２の内部に配置された吸音手段１８は筒状をなしており（以下、筒状の吸音材１８ともいう。）、円柱状のブロック１４の中軸方向に向けて複数並列配置したものである。一方、鋼管杭１０内の中間部に配置される、円柱状のブロック１６においては、有底円筒状の金網籠２２の内部に配置された吸音手段２０は円盤状をなしており（以下、円盤状の吸音材２０ともいう。）、ブロック１６の中軸方向に向けて複数積層されたものである。これら吸音手段１８、２０には、グラスウール、ロックウール、ポリエステル繊維素材等が用いられる。
又、筒状の吸音材１８は、ＪＩＳ規格に規定された複数の直径から、適宜選択して使用するものであり、円柱状のブロック１４の金網籠２２の、直径方向及び中軸方向のいずれにも最小限の隙間となるように、直径及び長さを合せて使用されるものである。又、円盤状の吸音材２０は、ロール状又はボード状の吸音材から、適切な直径の円盤状に切り出して、円柱状のブロック１６の金網籠２２の、直径方向及び中軸方向のいずれにも最小限の隙間となるように、直径及び長さを合せて使用されるものである。
【００２７】
なお、図２に示されるように、円柱状のブロック１４の中軸方向両端部に円盤状の吸音材２０を配置し、筒状の吸音材１８の両端部を挟み込むように設置することとしても良い。又、図３に示されるように、積層された円盤状の吸音材２０のうち、円柱状のブロック１６の、中軸方向中央部の密度を最も密に、中軸方向両端部の密度を最も粗にすることとしても良い。なお、図２、図３において、円盤状の吸音材２０の密度の例として、９６ｋ〜２４ｋ（ｋ：ｋｇ／ｍ３）を示している。又、円柱状のブロック１６については４５ｋ〜９０ｋが用いられる。
又、図４に示されるように、円柱状のブロック１６の中軸方向両端部に円盤状の吸音材２０を配置し、ロール状の吸音材２１の両端部を挟み込むように配置することとしても良い。ロール状の吸音材２１は、例えば、ロール状の吸音材のロール形態が崩れないように梱包材を残した状態で、金網籠２２内に密に詰め込むものである。
【００２８】
更に、図２、図３、図４の例では、円柱状のブロック１４、１６を貫通するようにして、金網籠２２及び金網蓋２４の中心部に吊ワイヤ２６を連結している。そして、鋼管杭１０内の開口端部又はその近傍に配置される円柱状のブロック１４の、吊ワイヤ２６の上下両端部にシャックル２８が固定されている。一方、鋼管杭１０内の中間部に配置される円柱状のブロック１６の吊ワイヤ２６には、その上端部にのみシャックル２８が固定されている。
そして、図５に示されるように、円柱状のブロック１４の、吊ワイヤ２６の上端部のシャックル２８は、鋼管杭１０内の開口端部１０ａ近傍に固定された金具（吊ピース）３０に取付けられたシャックル２８と連結される。又、円柱状のブロック１４の吊ワイヤ２６の下端部に固定されたシャックル２８と、円柱状のブロック１６の吊ワイヤ２６の上端部に固定されたシャックル２８とが、吊ワイヤ３２の両端部に固定されたシャックル２８で連結される。なお、吊ワイヤ３２の長さは、円柱状のブロック１６が鋼管杭１０の全長の中間部に位置するように調整される。
【００２９】
ここで、鋼管杭１０の内部に円柱状のブロック１４、１６を設置する手順は以下の通りである。
Ｓ１：予め製作しておいた円柱状のブロック１４、１６を、図５の如く吊ワイヤ３２で連結する。
Ｓ２：横に倒した状態の鋼管杭１０内部に、円柱状のブロック１６、１４の順で挿入する。この際、円柱状のブロック１６を挿入する側の開口端部とは反対側の開口端部から引っ張り込むことで、円柱状のブロック１６に続き、円柱状のブロック１６に対して吊ワイヤ３２で連結された円柱状のブロック１４も、鋼管杭１０の内部に引き込まれる。
Ｓ３：鋼管杭１０内の開口端部１０ａ近傍（上段部分）に、吊ピース３０を溶接する。
Ｓ４：吊ピース３０のシャックル２８に、円柱状のブロック１４の吊ワイヤ２６の上端部に固定されたシャックル２８を連結する。
【００３０】
Ｓ５：上記Ｓ４までの工程が完了した鋼管杭１０を、図１に示されるように立て掛けると、円柱状のブロック１４、１６は何れも自重により、鋼管杭１０内部で、吊ワイヤ２６、３２が張設状態となる状態で吊り下がる。従って、本発明の実施の形態における、円柱状のブロック１４を設置する鋼管杭１０内の、開口端部１０ａ又はその近傍とは、上記設置方法にて設置可能な、開口端部１０ａの近傍の範囲を意味するものである。
Ｓ６：図１の油圧ハンマ１２による鋼管杭１０の打設完了後、吊ピース３０からシャックル２８を外し、吊ワイヤ２６を鋼管杭１０の開口端部１０ａから引き出すことで、吊ワイヤ２６、３２により連結された円柱状のブロック１４、１６は、何れも鋼管杭１０の内部から引き出される。このようにして、鋼管杭１０から引き出された円柱状のブロック１４、１６は、再利用可能である。一方、吊ピース３０は鋼管杭１０内に残される。
【００３１】
なお、Ｓ２〜Ｓ４のステップについては、常時数本の鋼管杭１０に対して施しておくことで、鋼管杭１０の打設作業を円滑に進行することが出来る。又、状況に応じて、鋼管杭１０の内部における円柱状のブロック１４、１６の位置を交換しても良く、円柱状のブロック１４、１６何れか一方を二つ用いることとしても良い。更には、円柱状のブロック１４、１６何れか一方を、鋼管杭１０内の上端部又はその近傍、中間部の何れかに設けることとしても良い。
更に、図１の例は鋼管杭１０を斜杭として打設する例を示しているが、当然にそれ以外の杭の打設工法にも、同様に適用可能である。
【００３２】
さて。上記構成をなす、本発明の実施の形態により得られる作用効果は、以下の通りである。
本発明の実施の形態に係る鋼管杭の打設騒音低減工法は、内部に通気性を有する吸音手段１８が装填され、かつ、吸音手段１８に対する音の伝播を阻害しない外表面を有する円柱状のブロック１４を、鋼管杭１０内の開口端部１０ａ又はその近傍に配置し、この鋼管杭１０を油圧ハンマ１２により打設する際の衝撃の結果、鋼管杭１０内の空気を伝播する振動が円柱状のブロック１４を通過する。この際、鋼管杭１０の開口端部１０ａにおける振動の振幅を効率的に減衰させ、騒音低減を促すことができる。又、内部に通気性を有する吸音手段２０が装填され、かつ、吸音手段２０に対する音の伝播を阻害しない外表面を有する円柱状のブロック１６を、鋼管杭１０内の中間部に配置し、鋼管杭１０を油圧ハンマ１２により打設すると、鋼管杭１０内の空気を伝播する振動が円柱状のブロック１６を通過し、この際、鋼管杭１０の中間部における振動媒質の粒子速度を効率的に減衰させ、騒音低減を促すことができる。
【００３３】
しかも、円柱状ブロック１４を鋼管杭１０内に挿通することで、円柱状のブロック１４の中軸方向と平行に、複数並列配置した筒状の吸音材１８の各中心軸が、鋼管杭の軸方向と並行になる。そして、鋼管杭１０内の空気を伝播する振動が、円柱状のブロック１４の筒状の吸音材１８を通過する際、筒状の吸音材１８の内筒部における空気の円滑な流動を許容しつつ、吸音材１８内部で振動の振幅を効率的に減衰させることができる。
【００３４】
又、円柱状ブロック１６を鋼管杭１０内に挿通することで、円柱状のブロック１６の中軸方向に向けて積層した円盤状の吸音材２０が、鋼管杭の軸方向と直交して密に詰まった設置態様となる。そして、鋼管杭１０内の空気を伝播する振動が、鋼管杭１０内の中間部に配置した円柱状のブロック１６の、中軸方向に向けて積層した円盤状の吸音材２０を通過する際、空気の流動を制限して、振動媒質の粒子速度を効率的に減衰させるものである。
又、円柱状のブロック１６の中軸方向と平行に、複数並列配置されたロール状の吸音材２１が、密に詰まった設置態様となり、円盤状の吸音材２０と同様に機能するものである。
更に、積層した円盤状の吸音材２０のうち、円柱状ブロック１６の、中軸方向中央部の密度を最も密に、中軸方向両端部の密度を最も粗にすることで、鋼管杭１０内の空気を伝播する振動が、積層した円盤状の吸音材２０を通過する際、密度を最も粗にした中軸方向両端部の円盤状の吸音材２０では比較的通過し易く、密度を最も密にした中軸方向中央部の円盤状の吸音材２０では比較的通過し難くなる。これにより、空気の流動をより効率的に制限することができ、振動の振幅又は振動媒質の粒子速度を減衰させるものである。
【００３５】
なお、円柱状のブロック１４、１６のいずれかを、鋼管杭１０内の如何なる位置に設置するかについては、閉管を構成する鋼管杭１０内の固有振動に応じて決定されるものであり、特に振動の振幅の大きい部分には、筒状の吸音材１８を含む円柱状のブロック１４を配置することで、振動の振幅を効率的に減衰させ、特に振動媒質の粒子速度が速い部分には、円盤状の吸音材２０を含む円柱状のブロック１６を配置することで、振動媒質の粒子速度を効率的に減衰させ、鋼管杭１０の打設騒音を効果的に低減させることが可能となる。しかしながら、諸条件を勘案して、円柱状のブロック１４、１６を、これとは逆の態様で設置する場合や、いずれか一方を使用する場合もある。
【００３６】
又、円柱状のブロック１４、１６の外表面を、有底円筒状の金網籠２２とその開口部を塞ぐ円形の金網蓋２４とで構成することで、鋼管杭１０内の空気を伝播する振動が金網の網目を介して円柱状のブロック１４、１６を通過し、この際、鋼管杭１９内の空気を伝播する振動の振幅又は振動媒質の粒子速度を減衰させることができるものとなる。又、様々な材質や形態の吸音手段１８、２０を適宜選択して、有底円筒状の金網籠２２に装填し金網蓋２４で塞ぐことで、騒音低減機能及び製作コストのいずれにおいても最適な、円柱状のブロック１４、１６を構成することができる。
【００３７】
又、筒状の吸音材１８を含む円柱状のブロック１４と、円盤状の吸音材２０を含む円柱状のブロック１６とを、吊ワイヤ２６、３２にて連結することで、筒状の吸音材１８を含む円柱状のブロック１４を、鋼管杭１０内の開口端部１０ａ又はその近傍に配置する作業と、円盤状の吸音材２０を含む円柱状のブロック１６を鋼管杭１０内の中間部に配置する作業、並びに、これらのブロック１４、１６を鋼管杭１０内部から取り出す作業を、一時に行うことが可能となる。
【符号の説明】
【００３８】
１０：鋼管杭、１２：油圧ハンマ、  １４、１６：円柱状のブロック、１８：筒状の吸音材、２０：円盤状の吸音材、２１：ロール状の吸音材、２２：金網籠、２４：金網蓋、  ２６、３２：吊ワイヤ
【図１】
0005967864.tif 000002
【図２】
0005967864.tif 000003
【図３】
0005967864.tif 000004
【図４】
0005967864.tif 000005
【図５】
0005967864.tif 000006